(57)【要約】      （修正有）【課題】腰痛や腕などの疲労の予防と、洗浄時間の短縮を目的とし、低価で製造出来る簡単な構造を持つブラシを提供する。【解決手段】長い柄の先端に、両端を半球形にした円筒形または円柱形ブラシ芯の、中央固定バンド取り付け幅を除いた全面に刷毛を植え込み、または軟性プラスチック発泡体、軟性繊維体などを接着した洗浄ブラシを、固定バンドで長柄に対して直角Ｔ形に取り付け、洗浄使用側の刷毛半円が消耗したとき、固定バンドをゆるめ１８０°回転再固定して、同一ブラシが二度の使用が出来る浴槽高速洗浄Ｔ形ブラシとする。【選択図】図２
0003115241.tif 000002
【実用新案登録請求の範囲】
【請求項１】
長い柄の先端に、両端を半球形にした、円筒形または円柱形ブラシ芯の中央固定バンド取り付け幅を除いた全面に、刷毛を植え込み、または軟性プラスチック発泡体、軟性繊維体等を接着した洗浄ブラシを、固定バンドで長柄に対して直角Ｔ形に取り付けた浴槽高速洗浄Ｔ形ブラシ。
【請求項２】
ブラシ刷毛面の消耗は、洗浄使用側半円のみであり、固定バンドを固定ネジでゆるめ、ブラシ芯を１８０°回転再固定して未使用の半円を表側に出すことにより、同じブラシが二度の使用が出来る浴槽高速洗浄Ｔ形ブラシ。
【考案の詳細な説明】
【技術分野】
【０００１】長い柄の先端に、両端を半球形にした、円筒形または円柱形ブラシ芯の中央固定バンド取り付け幅を除いた全面に刷毛を植え込み、または軟性プラスチック発泡体、軟性繊維体等を接着した洗浄ブラシを、固定バンドで長柄に対して直角Ｔ形に取り付け、浴槽高速洗浄Ｔ形ブラシとする。本考案は、入浴ごとの頻繁な浴槽の掃除を、腰を曲げず、腰に変則的な力を加えることを必要とせず、楽に掃除を遂行でき、腰痛と腰痛に関する病気の予防と腰の保護、及び洗浄時間の早急な短縮を目的とし、低価で製造供給出来得る簡単な構造を持つ、浴槽高速洗浄Ｔ形ブラシを提供する。
【背景技術】
【０００２】既存の浴槽洗浄ブラシは、長短の柄の先端に、洗浄面がおおむね平面形状のブラシを設けた、単純な構造で使用されており、一部ブラシの角度可変・柄の長さの調整機能を設けたもの、刷毛の形状材質に工夫を凝らしたもの、ブラシ部分を抜取って他方に使用出来るようにしたものもある。いずれも手洗いを目的とし、浴槽被洗浄面とブラシ洗浄面との位置・方向・角度を勘案して洗浄する。
【考案の開示】
【考案が解決しようとする課題】
【０００３】以下考案が解決しようとする課題について、箇条書きで記載する。【０００４】ブラシが小さく、ブラシ洗浄面が狭小のため、腕の往復運動量が多く疲れる。【０００５】ブラシが小さいと、洗い残りが出来る。【０００６】柄の短いブラシは、被洗浄物にかかるブラシ部分の圧力が小さく汚れ落ちが悪いから、一層の力を要し手と腕が非常に疲れる。【０００７】柄の短いブラシは、浴槽内部に頭を入れる変則な姿勢で、腰を曲げる上、腰に力を入れるから腰痛になりやすく、身体負担が大きい。また腰痛患者は、症状の悪化を来すものである。【０００８】長い柄は、身体負担は軽いが、小さいブラシで洗浄するため、手と腕が上下、前後、横、円運動と忙しく、労働量が大きく疲労度が高い。【０００９】ブラシ洗浄面は一平面であるため、浴槽内面の前後左右側面、深い位置にある底部平面それぞれの浴槽洗浄面に、ブラシ洗浄面とその角度をその都度合わせて、洗浄しなければならない。
【課題を解決するための手段】
【００１０】本考案は、先端に端子（７）を溶接したスリーブ（２）を取り付け固定した、剛性を有する長柄（１）の先に、両端を半球形にした、円筒形または円柱形ブラシ芯（６）の中央に取り付ける固定バンド（３）の幅を除いた全面に、刷毛（４）を植込み、または軟性プラスチック発泡体、軟性繊維体などを接着した洗浄ブラシを、固定バンド（３）を固定ネジ（５）で締め付け固定し、浴槽高速洗浄Ｔ形ブラシとする。本考案は入浴ごとの頻繁な浴槽の洗浄を、腰を曲げず、腰に変則的な力を加えることを要せず、楽に洗浄を遂行でき、腰痛と腰痛に関する病気の予防と腰の保護、及び洗浄時間の早急な短縮を目的とし、低価で供給出来得る簡単な構造を持つ、浴槽高速洗浄Ｔ形ブラシを提供する。
【考案の効果】
【００１１】入浴は健康上不可欠であるが、後の浴槽の掃除に悩む人は多い。その主なものは、掃除中、掃除位置の低さによる変則的中腰の姿勢からくる腰痛の発生と、掃除時間の長さとやりにくさである。現在使用されている各種浴槽掃除ブラシは、腰痛に関する考慮がなく、洗浄ブラシが小さいため、中腰での作業時間が長いという欠点があった。
本考案の効果を、以下箇条書で説明する。【００１２】本考案は、柄を長柄（１）とし、腰を曲げずに洗浄できるから、腰痛の発生や保護、疲労を予防または軽減する。【００１３】洗浄ブラシの洗浄刷毛面が、〔００１０〕に記載したごとく全周囲に渡るため、被洗浄物へのいかなる角度にも対応出来、中腰になったり、持ち替えたりすることは必要がない。【００１４】洗浄ブラシの洗浄刷毛面の幅が大きいため、一回の洗浄動作で幅広い洗浄が出来るから、浴槽の洗浄が簡略化し短時間で済む。【００１５】円筒形または円柱形のブラシ芯（６）の両端に設けた半球形の部分は、浴槽内側板角面及び浴槽内側板と底板との角面に合致した曲面として、角面の汚れ落ちを良くする。【００１６】洗浄ブラシの中央固定バンド（３）取り付け部分の刷毛間隙は、水逃がし溝（２０）を兼ねて、洗浄の際ブラシが排除する水を逃がして水抵抗を減少させ、動きを軽くし洗浄を軽減、容易にするものである。【００１７】図４に示すごとく、ブラシ刷毛面の消耗は、洗浄使用側半円のみであり、固定バンド（３）を固定ネジ（５）でゆるめ、ブラシ芯（６）を１８０°回転し再固定して未使用の半円を表側に出すことにより、同じブラシが二度の使用が出来る。【００１８】本考案は各図に示すごとく、総体に簡単堅固な構造であるため、浴槽洗浄のとき、ブラシの刷毛洗浄面に充分な力が加えられるから、充分な汚れ落ちが得られる。【００１９】本考案は構造が簡単なため、安価な製品を製造、社会に供給出来得る。
【考案を実施するための最良の形態】
【００２０】入浴ごとの浴槽の洗浄は、洗浄行為者にとっては、腰痛や手や腕の筋肉痛を発することもある一種の労務である。本考案は浴槽の洗浄に関して、健康に反する条件を排し、迅速にして楽な洗浄を遂行でき、洗浄時間の早急な短縮を目的とし、低価で提供出来得る簡単な構造を持つ洗浄器具の供給使用で、労苦を排除するものである。以下、本考案の実施の形態として図に基づいて、箇条書きで説明する。【００２１】本考案の洗浄ブラシは、長柄の採用で腰の保護のため〔図５〕〔図６〕の如く立ったままで洗浄が出来、腰を曲げず変則的な姿勢を取る必要がないから、楽に洗浄が遂行出来る。【００２２】前項〔００２１〕記載要項に加えて、ブラシの断面が円形であるため、〔図４〕の各ブラシ洗浄中の１１〜１２・１２〜１３〜１４・１４〜１５・１６〜１７の位置移動による角度の変化に対応する必要がなく、ブラシを持ち替えることも要しない。【００２３】本考案の洗浄ブラシは、幅が広く一回の洗浄面積も相当に広く、〔図７〕に示す如き洗浄経路をたどることによって、浴槽の洗浄時間は早急に短縮される。【００２４】本考案の洗浄ブラシは、両端が半球形に装備され、半球の曲面半径は、一般的な浴槽内部の側板角面の半径とほぼ一致しており、〔図９〕の如く側板の角面に寄った洗浄時に、角面の洗浄を行う。側板と底板との角面半径はブラシ刷毛半径を用いて、ブラシを横に動かして洗浄を行う。既存の、ブラシの小さいものの洗浄経路は、〔図８〕の如く柄の長短にかかわらず、細かい往復動作が数多く、洗浄経路の延長が長くなり、疲労ガ多く長時間を要する。
【図面の簡単な説明】
【００２５】
【図１】本考案の斜視外観図である。
【図２】本考案の正面１部断面図である。
【図３】本考案の側面Ａ−Ａ断面図である。
【図４】本考案のブラシ洗浄状態図である。
【図５】本考案の底面洗浄姿勢図である。
【図６】本考案の側面洗浄姿勢図である。
【図７】本考案のブラシ洗浄経路図である。
【図８】既存の小ブラシ洗浄経路図である。
【図９】本考案の浴槽内部側板・曲面同時洗浄図である。
【符号の説明】
【００２６】１      長柄
２      スリーブ
３      固定バンド
４      刷毛
５      固定ネジ
６      ブラシ芯
７      端子
８      浴室壁
９      浴槽
１０    浴室洗場床面
１１    ブラシ個別状態図
１２    ブラシ個別状態図
１３    ブラシ個別状態図
１４    ブラシ個別状態図
１５    ブラシ個別状態図
１６    ブラシ個別状態図
１７    ブラシ個別状態図
１８    浴槽底面洗浄姿勢人物
１９    浴槽側面洗浄姿勢人物
２０    水逃がし溝
２１    浴槽内洗浄ブラシ位置図
２２    本考案ブラシ洗浄経路
２３    本考案ブラシ
２４    短柄のブラシ
２５    短柄のブラシ経路部分
２６    短柄のブラシ経路
【図１】
0003115241.tif 000003
【図２】
0003115241.tif 000004
【図３】
0003115241.tif 000005
【図４】
0003115241.tif 000006
【図５】
0003115241.tif 000007
【図６】
0003115241.tif 000008
【図７】
0003115241.tif 000009
【図８】
0003115241.tif 000010
【図９】
0003115241.tif 000011
【手続補正書】
【提出日】平成17年7月4日(2005.7.4)
【手続補正１】
【補正対象書類名】実用新案登録請求の範囲
【補正対象項目名】請求項２
【補正方法】変更
【補正の内容】
【請求項２】
前記洗浄ブラシ刷毛面の消耗は、洗浄使用側半円のみであり、固定バンドを固定ネジでゆるめ、ブラシ芯を１８０°回転、再固定して、未使用の半円を表側に出すことにより、同じブラシが二度の使用が出来ることを特徴とする、請求項１記載の浴槽高速洗浄Ｔ形ブラシ。